(57)【特許請求の範囲】
【請求項１】
第１媒体を保管するための第１支持板と、
前記第１支持板と離隔され、第２媒体を保管するための第２支持板と、
前記第１支持板と第２支持板の間に配置され、前記第１媒体又は第２媒体を選択的にピックアップするためのピックアップローラと、
前記ピックアップローラによってピックアップされた第１媒体または第２媒体を引き出すためのフィードローラと、
前記第２媒体をピックアップするために、前記フィードローラの回転力が伝達され、前記ピックアップローラを前記第２支持板側に向けて移動させるためのピックアップローラ移動装置と、を含む媒体保管箱。
【請求項２】
前記第１支持板は前記ピックアップローラの下方に位置され、
前記第２支持板は前記ピックアップローラの上方に位置され、
前記第２支持板には、前記ピックアップローラが貫通するためのホールが形成される請求項１に記載の媒体保管箱。
【請求項３】
前記第２媒体をピックアップするために、前記第２支持板に置かれた前記第２媒体を前記ピックアップローラ側に加圧する加圧板をさらに含む請求項２に記載の媒体保管箱。
【請求項４】
前記ピックアップローラの回転軸に連結される連結板と、
前記回転軸を前記第１支持板側に移動させる弾性力を前記連結板に提供する弾性部材と、をさらに含む請求項１に記載の媒体保管箱。
【請求項５】
前記ピックアップローラの回転軸が連結される連結部材と、
前記連結部材に具備される引っかかり部と、をさらに含み、
前記ピックアップローラ移動装置は、前記引っかかり部を移動させる請求項１に記載の媒体保管箱。
【請求項６】
前記ピックアップローラ移動装置は、
前記フィードローラの回転軸に連結されるクラッチと、
前記クラッチと連結され、前記フィードローラから伝達された動力を前記引っかかり部に伝達する動力伝達部と、を含む請求項５に記載の媒体保管箱。
【請求項７】
前記動力伝達部は、回転動作する回転レバーを含み、
前記回転レバーの周りには半径方向に突出される多数の突出部が形成される請求項６に記載の媒体保管箱。
【請求項８】
前記第１媒体を引き出すとき前記フィードローラの回転軸は第１方向に回転し、
前記ピックアップローラ移動装置が作動するとき、前記フィードローラの回転軸は第１方向に回転し、前記クラッチはオンになる請求項６に記載の媒体保管箱。
【請求項９】
移動されたピックアップローラの位置を固定するための位置固定部と、
前記位置固定部を駆動するための駆動部と、さらに含む請求項６に記載の媒体保管箱。
【請求項１０】
前記位置固定部は、前記引っかかり部がかかるためのフックを含み、
前記引っかかり部が前記フックにかかった状態で、前記駆動部の駆動によって前記フックに前記引っかかり部かかった状態が解除される請求項９に記載の媒体保管箱。
【請求項１１】
多数の媒体保管空間と、
前記多数の媒体保管空間それぞれに具備されて媒体を支持する多数の支持板と、
前記多数の支持板と相対運動が可能であって、前記多数の支持板それぞれに支持された媒体を選択的にピックアップするためのピックアップローラと、
前記ピックアップローラによってピックアップされた媒体を引き出すためのフィードローラと、
前記多数の支持板中の一支持板に支持された媒体をピックアップするために、前記フィードローラの回転力が伝達され、前記ピックアップローラを前記一支持板側に向けて移動させるためのピックアップローラ移動装置と、を含む媒体処理装置。
【請求項１２】
前記ピックアップローラは第１方向に回転されて多数の媒体保管空間のうちいずれか一つの保管空間に保管された第１媒体をピックアップし、
前記第１方向と反対方向である第２方向に回転されて多数の媒体保管空間のうち他の一つの保管空間に保管された第２媒体をピックアップする請求項１１に記載の媒体処理装置。
【請求項１３】
媒体出入部が形成される本体と、
前記本体に装着される媒体保管箱と、を含み、
前記媒体保管箱は、
多数の媒体が区分されて保管されるための多数の媒体保管空間と、
前記多数の保管空間に保管された各媒体をピックアップするための単一のピックアップローラと、
前記ピックアップローラによってピックアップされた媒体を引き出すためのフィードローラと、
前記多数の媒体保管空間中の一媒体保管空間に保管された媒体をピックアップするために、前記フィードローラの回転力が伝達され、前記ピックアップローラを前記一媒体保管空間側に向けて移動させるためのピックアップローラ移動装置と、を含む金融機器。
【請求項１４】
前記媒体保管箱には多数の支持板が具備され、前記ピックアップローラは前記多数の支持板の間に配置される請求項１３に記載の金融機器。
【発明の詳細な説明】
【技術分野】
【０００１】
本明細書は、媒体保管箱、媒体処理装置及び金融機器に関するものである。
【背景技術】
【０００２】
一般に金融機器は、顧客が望む金融業務を処理する機器である。前記金融機器は、媒体を入出金するか、自動的に振り込むことができる。一例に、前記金融機器は、紙幣及び小切手などを入金するか引き出すことができる。
【０００３】
前記金融機器は、媒体を保管するための多数の媒体保管箱を含む。前記各媒体保管箱は、単一の券種を保管することができる。
【発明の概要】
【発明が解決しようとする課題】
【０００４】
このような従来の媒体保管箱が単一の券種を保管するため、金融機器に多数の券種を保管するためには券種の数別に媒体保管箱が具備されなければならない。よって、全ての券種の保管を可能にするために券種の数別に媒体保管箱が具備する場合、金融機器のサイズが大きくなる問題がある。一方、金融機器のサイズを維持するためには、一部の券種のみを保管せざるを得ない問題がある。
【０００５】
本明細書は、媒体保管箱、媒体処理装置及び金融機器に関するものである。
【課題を解決するための手段】
【０００６】
一側面による媒体保管箱は、第１媒体を保管するための第１支持板と、前記第１支持板と離隔され、第２媒体を保管するための第２支持板と、前記第１支持板と第２支持板の間に配置され、前記第１媒体又は第２媒体を選択的にピックアップするためのピックアップローラと、を含む。
【０００７】
他の側面による媒体処理装置は、多数の媒体保管空間と、前記多数の媒体保管空間それぞれに具備されて媒体を支持する多数の支持板と、前記多数の支持板と相対運動が可能であって、前記多数の支持板それぞれに支持された媒体を選択的にピックアップするためのピックアップローラと、を含む。
【０００８】
他の側面による金融機器は、媒体出入部が形成される本体と、前記本体に装着される媒体保管箱と、を含み、前記媒体保管箱には多数の媒体が区分されて保管されるための多数の媒体保管空間が形成され、前記多数の保管空間に保管された各媒体は単一のピックアップローラによってピックアップされて前記媒体保管箱から排出されることができる。
【図面の簡単な説明】
【０００９】
【図１】第1実施例による金融機器の斜視図である。
【図２】第１実施例による媒体保管箱の内部構成を概略的に示す図である。
【図３】媒体が第１媒体保管空間に引き入れられる過程を示す図である。
【図４】媒体が第２媒体保管空間に引き入れられる過程を示す図である。
【図５】第1媒体保管空間に保管された媒体が引き出される過程を示す図である。
【図６】第２媒体保管空間に保管された媒体が引き出される過程を示す図である。
【図７】第２実施例による媒体保管箱の内部構造を概略的に示す図である。
【図８】図７のＡ−Ａに沿って切開した断面図である。
【図９】第２実施例の第１媒体及び第２媒体が引き入れられる過程を示す図である。
【図１０】第２実施例の第１媒体が引き出され、第２媒体が引き入れられる過程を示す図である。
【図１１】第２実施例の第２媒体が引き出される過程を示す図である。
【図１２】第２実施例の第２媒体が引き出される過程を示す図である。
【図１３】第３実施例による媒体保管箱の内部構造を概略的に示す図である。
【図１４】第３実施例によるピックアップローラが連結部材に連結された様子を示す斜視図である。
【図１５】本実施例によるフィードローラとピックアップローラの連結関係を示す断面図である。
【図１６】第３実施例の第１媒体及び第２媒体が引き入れられる過程を示す図である。
【図１７】本実施例の第１媒体が引き出され、第２媒体が引き入れられる過程を示す図である。
【図１８】第３実施例の第２媒体が引き出される過程を示す図である。
【図１９】第３実施例の第２媒体が引き出される過程を示す図である。
【図２０】第３実施例の第２媒体が引き出される過程を示す図である。
【図２１】第２媒体の引出が完了した後、駆動部によって位置固定部が作動してピックアップローラの第２回転軸が下降する様子を示す図である。
【発明を実施するための形態】
【００１０】
図１は、第１実施例による金融機器の斜視図である。
図１を参照すると、第１実施例による金融機器１は、内部に多数の部品が内蔵される本体５を含む。前記本体５は、媒体を入金するか引き出すことができる媒体入出部１３と、通帳の入出のための通帳入出部１４と、カードの入出のためのカード入出部１５と、媒体を保管するための多数の媒体保管箱１０（ｓｔｏｒａｇｅ  ｂｏｘ）を含んでもよい。
【００１１】
また、前記金融機器１は、図示されていないが、媒体の状態を感知するための鑑別部をさらに含んでもよい。本実施例において、前記金融機器１の基本構造は公知の構造によって具現されることができるため、詳しい説明は省略する。
【００１２】
前記多数の媒体保管箱１０のうち一つ以上は、多数の券種の媒体を保管することができる。
【００１３】
以下では、媒体保管箱の構造について詳細に説明する。
図２は、第１実施例による媒体保管箱の内部構成を概略的に示す図である。
【００１４】
図２を参照すると、第１実施例による媒体保管箱１０は、外形を形成するケース１１０（ｃａｓｅ）と、前記ケース１１０の内部空間を開閉するカバー１１２（ｃｏｖｅｒ）を含んでもよい。
【００１５】
前記ケース１１０は、媒体が保管されるための多数の媒体保管空間１２１，１２３を含んでもよい。図２には、一例に前記ケース１１０に第１媒体保管空間１２１と第２媒体保管空間１２３が具備されることが示されているが、３つ以上の媒体保管空間が前記ケース１１０に形成されることもできる。
【００１６】
前記第１媒体保管空間１２１と前記第２媒体保管空間１２３は区画されており、前記カバー１１２によって同時に開閉されてもよい。他の例として、前記各媒体保管空間１２１，１２３が個別的にカバーによって開閉されてもよい。即ち、第１カバーが前記第１媒体保管空間１２１を開閉し、第２カバーが第２媒体保管空間１２３をカバーしてもよい。
【００１７】
本実施例において、前記各媒体保管空間１２１，１２３には互いに異なる券種の媒体が保管されてもよい。もちろん、前記金融機器１の使用状態に応じて前記多数の媒体保管空間に同じ券種の媒体が保管されることも可能である。この場合、いずれか一つの媒体保管空間に一定個数の媒体が保管されると、他の媒体保管空間に媒体が保管されてもよい。前記多数の媒体保管空間１２１，１２３のサイズは同じであるか異なってもよい。
【００１８】
前記ケース１１０内で前記第１媒体保管空間１２１と前記第２媒体保管空間１２３は上下方向に配置されてもよい。もちろん、前記第１媒体保管空間１２１と前記第２媒体保管空間１２３が前記ケース１１０内で左右方向に配置されることも可能である。
【００１９】
前記第１媒体保管空間１２１には媒体を支持するための第１支持部１２２が具備され、前記第２媒体保管空間１２３には媒体を支持するための第２支持部１２４が具備される。前記各支持部１２２，１２４は前記各媒体保管空間１２１，１２３で独立的に上下移動することができる。
【００２０】
前記ケース１１０は、媒体が引き入れられる媒体入口１３１と、媒体が引き出される大体出口１３２と、引き入れられるか引き出される媒体の移送方向を調節する第１ディバーター１３５（ｄｉｖｅｒｔｅｒ）を含んでもよい。前記第１ディバーター１３５は、別途のアクチュエータ（ａｃｔｕａｔｏｒ）がなくても媒体を移送するとき媒体によって動作することができる。一例に、前記第１ディバーター１３５が自重によって前記媒体入口１３１を基本的に遮蔽するように設計された場合、媒体が引き入れられるときには前記媒体が前記第１ディバーター１３５を移動させながら移送されることができる。もちろん、前記第１ディバーター１３５はアクチュエータによって駆動されることも可能である。
【００２１】
前記媒体入口１３１と媒体出口１３２はメイン経路１４１に連結される。前記メイン経路１４１は、前記第１媒体保管空間１２１に連結される第１移送経路１４２と、前記第２媒体保管空間１２３に連結される第２移送経路１４３に分岐される。そして、前記第１移送経路１４２と前記第２移動経路１４３の分岐地点には、媒体の移送方向を調節する第２ディバーター１４４が具備される。前記第２ディバーター１４４は、図示されていないアクチュエータ（ａｃｔｕａｔｏｒ）によって動作されてもよい。
【００２２】
一例に、前記鑑別部で感知された媒体が第１媒体保管空間１２１に保管されるべきである場合、前記第２ディバーター１４４は前記第２移送経路１４３を遮断する。すると、前記媒体保管箱１０の内部に引き入れられた媒体は前記第１移送経路１４２を経て前記第１媒体保管空間１２１に集積される。逆に、前記鑑別部で感知された媒体が第２媒体保管空間１２３に保管されるべきである場合、前記第２ディバーター１４４は前記第１移送経路１４２を遮断する。すると、前記媒体保管箱１０の内部に引き入れられた媒体は前記第２移送経路１４３を経て前記第２媒体保管空間１２３に集積される。
【００２３】
前記媒体保管箱１０は、第１移送モジュール１５０（ｍｏｄｕｌｅ）と第２移送モジュール１６０をさらに含む。前記第１移送モジュール１５０は前記媒体保管箱１０に引き入れられた媒体を前記第１保管空間１２１に移送させるか、前記第１媒体保管空間１２１で保管された媒体をピックアップする。前記第２移送モジュール１６０は前記媒体保管箱１０に引き入れられた媒体を前記第２保管空間１２３に移送させるか、前記第２媒体保管空間１２３で保管された媒体をピックアップする。
【００２４】
前記第１移送モジュール１５０は、第１フィードローラ１５２と第１ピックアップローラ１５４を含む。前記第２移送モジュール１６０は、第２フィードローラ１６２と第２ピックアップローラ１６４を含む。前記各移送モジュールは、モジュール化された状態で前記媒体保管箱１０に装着されてもよい。本実施例において、前記メイン経路１４１における前記第２移送経路１４３の一部は垂直に延長される。そして、前記第１移送経路１４２と前記第２移動経路１４３のうち前記第２媒体保管空間１２３に媒体が引き入れられる位置の経路は上下方向に同じく位置される。よって、上記のようなメイン経路１４１と各移送経路１４３，１４４の配置によって前記第１媒体保管空間１２１と前記第２媒体保管空間１２３は図３を基準に左右方向に段差が発生しない。
【００２５】
よって、前記第１移送モジュール１５０及び第２移送モジュール１６０を区分せずに各移送モジュールが前記媒体保管箱１０に装着されることができる。即ち、本実施例において、各移送モジュールが装着された位置に応じて第１移送モジュールと第２移送モジュールが決定される。例えば、共通の移送モジュールを複数個製作した後、いずれか一つの移送モジュールを前記第１倍体保管空間側に装着し、他の一つの移送モジュールを前記第２媒体保管空間側に装着してもよく、その逆の場合もできる。
【００２６】
もちろん、各移送モジュールは各フィードローラと協同して各媒体保管空間に移送される媒体を移送し、各ピックアップローラによってピックアップされて各移送経路に移送される媒体を移送する分離ローラを追加に含んでもよいが、図示してはいない。
【００２７】
前記各移送モジュール１５０，１６０が装着された状態で各フィードローラ１５２，１６２は単一の駆動源によって駆動される。即ち、前記単一の駆動源にベルトが連結され、前記ベルトが前記各フィードローラ１５２，１６２に連結されてもよい。一方、前記各ピックアップローラ１５４，１６４は別途の駆動源によって独立的に駆動されてもよい。もちろん、前記各フィードローラが別途の駆動源によって独立的に駆動されてもよく、各ピックアップローラがベルトなどによって互いに連結されて単一の駆動源によって駆動されてもよい。
【００２８】
以下では、媒体保管箱における媒体が引き入れられる過程及び引き出される過程について説明する。
【００２９】
図３は媒体が第１媒体保管空間に引き入れられる過程を示す図であり、図４は媒体が第２媒体保管空間に引き入れられる過程を示す図であり、図５は媒体が第１媒体保管空間に保管された媒体が引き出される過程を示す図であり、図６は媒体が第２媒体保管空間に保管された媒体が引き出される過程を示す図である。
【００３０】
まず、図３を参照すると、前記鑑別部で媒体の状態を感知した結果、媒体が第１媒体保管空間１２１に保管されるべきである場合、前記第２ディバーター１４４は前記第２移送経路１４３を遮断する。前記媒体入口１３１を介して引き入れられた媒体は、前記第１ディバーター１３５を押しながら前記メイン経路１４１に移送される。前記メイン経路１４１に移送された媒体は、前記第２ディバーター１４４によって前記第１移送経路１４２に沿って移送され、前記第１媒体保管空間１２１に引き入れられる。
【００３１】
次に、図４を参照すると、前記鑑別部で媒体の状態を感知した結果、媒体が第２媒体保管空間１２３に保管されるべきである場合、前記第２ディバーター１４４は前記第１移送経路１４２を遮断する。前記媒体入口１３１を介して引き入れられた媒体は、前記第１ディバーター１３５を押しながら前記メイン経路１４１に移送される。前記メイン経路１４１に移送された媒体は、前記第２移送経路１４３に沿って下方に移送され、前記第２媒体保管空間１２３に引き入れられる。
【００３２】
次に、図５を参照すると、前記第１媒体保管空間１２１に保管された媒体が引き出されるべきである場合、前記第２ディバーター１４４は前記第１移送経路１４２を開放する。そして、前記第１ピックアップローラ１５４が時計回りに回転し、前記第１支持部１２２の上に集積された媒体をピックアップする。ピックアップされた媒体は、前記第１移送経路１４２、前記メイン経路１４１に沿って移送された後、前記第１ディバーター１３５によって前記媒体出口１３２に移送されて前記媒体保管箱１０の外部に排出される。
【００３３】
次に、図６を参照すると、前記第２媒体保管空間１２３に保管された媒体が引き出されるべきである場合、前記第２ディバーター１４４は前記第２移送経路１４３を開放する。そして、前記第２ピックアップローラ１６４が時計回りに回転し、前記第２支持部１２４上に集積された媒体をピックアップする。ピックアップされた媒体は、前記第２移送経路１４３、前記メイン経路１４１に沿って移送された後、前記第１ディバーター１３５によって前記媒体出口１３２に移送されて前記媒体保管箱１０の外部に排出される。
【００３４】
このような本実施例によると、媒体保管箱の内部に多数の媒体保管空間が区画されているため、多数の券種が単一の媒体保管箱の内部に保管されることができる長所がある。
【００３５】
多数の券種が単一の媒体保管箱の内部に保管されることで、金融機器のサイズを増加させなくても保管し得る券種の個数が増加される。
【００３６】
それだけでなく、金融機器の構造を変更しなくても従来の単一の媒体保管空間が具備された媒体保管箱を多数の媒体保管空間が具備された媒体保管箱に入れ替えて使用することができる長所がある。
【００３７】
図７は第２実施例による媒体保管箱の内部構造を概略的に示す図であり、図８は図７のＡ−Ａに沿って切開した断面図である。
【００３８】
図７及び図８を参照すると、第２実施例の媒体保管箱２０は外形を形成するハウジング２００（ｈｏｕｓｉｎｇ）を含む。
【００３９】
前記ハウジング２００は、第１媒体の入出のための第１通路２０１と、第２媒体を引き入れるとき第２媒体が移送される第２通路２０２と、前記第２媒体を引き出すとき第２媒体が移送される第３通路２０３を含む。前記第１媒体は、前記第１通路２０１を介して第１媒体保管空間に引き入れられるか排出されることができる。一方、前記第２媒体は、前記第２通路２０２を介して第２媒体保管空間に引き入れられることができ、前記第３通路２０３を介して第２媒体保管空間から排出されることができる。
【００４０】
また、前記ハウジング２００は、前記第１媒体を支持するための第１支持板２１１と、前記第２媒体を支持するための第２支持板２１２を含む。よって、本実施例において、前記媒体保管箱２０には媒体が保管されるための多数の媒体保管空間が区分されて形成されると説明することができる。
【００４１】
この際、前記多数の媒体保管空間にはそれぞれ同種の媒体が保管されるか、多種の媒体が保管されてもよい。又は、多数の媒体保管空間には互いに異なる状態の媒体が保管されてもよい。例えば、第１媒体保管空間には図示されていない鑑別部で正常状態と判別された媒体が保管されてもよく、第２媒体空間には前記鑑別部で非正常状態と判別された媒体や顧客の未受取媒体が保管されてもよい。本実施例において、前記各媒体保管空間に保管される媒体の種類及び状態には制限がないことを明らかにする。
【００４２】
前記第２支持板２１２は、前記第１支持板２１１の上方に配置される。即ち、前記第１支持板２１１と前記第２支持板２１２は上下に配置される。しかし、前記第１支持板２１１と前記第２支持板２１２は左右に配置されてもよい。前記第１支持板２１１と前記第２支持板２１２が上下に配置される場合、前記第１通路２０１の上方に第３通路２０３が位置され、前記第３通路２０３の上方に前記第２通路２０２が配置されてもよい。即ち、前記第１通路２０１と前記第２通路２０２の間に前記第３通路２０３が配置されてもよい。
【００４３】
前記第１支持板２１１と前記第２支持板２１２は、独立的な駆動部によって前記媒体保管箱２０内で上下移動することができる。
【００４４】
前記媒体保管箱２０は、前記第１媒体の入金のための第１フィードローラ２２１（ｆｅｅｄ  ｒｏｌｌｅｒ）及び第１ゲートローラ２２５（ｇａｔｅ  ｒｏｌｌｅｒ）と、保管された第１媒体又は第２媒体を引き出すために前記第１媒体又は前記第２媒体をピックアップするためのピックアップローラ２２２（ｐｉｃｋ−ｕｐ  ｒｏｌｌｅｒ）を含む。例示的に、前記第１ゲートローラ２２５は前記第１フィードローラ２２１から回転力を伝達されて前記第１フィードローラ２２１と反対方向に回転されてもよい。本実施例において、前記第１フィードローラ２２１と前記第１ゲートローラ２２５の回転方式は公知の構造によって具現されることができるため、詳しい説明は省略する。
【００４５】
前記ピックアップローラ２２２と前記第１フィードローラ２２１はベルト２２３によって連結されてもよい。他の例として、前記ピックアップローラ２２２と前記第１フィードローラ２２１は別途の駆動部によって駆動されてもよい。
【００４６】
前記ピックアップローラ２２２が前記第１媒体又は第２媒体を選択的にピックアップするために、前記ピックアップローラ２２２は前記第１支持板２１１と前記第２支持板２１２の間に配置されてもよい。
【００４７】
前記第１ゲートローラ２２５の回転軸には第１媒体が下方に（第１支持板に）容易に落下するように前記第１媒体を打撃するシートローラ２２６が連結されてもよい。
【００４８】
また、前記媒体保管箱２０は、前記第２媒体を引き入れるための第２フィードローラ２２７及び第２ゲートローラ２２８と、前記第１フィードローラ２２１と共に前記第２媒体を引き出すための移送ローラ２２９と、前記第２媒体を引き出すとき前記第２媒体を加圧するための加圧板２１３をさらに含んでもよい。
【００４９】
例示的に、前記第２フィードローラ２２７は前記第１フィードローラ２２１から回転力を伝達されて回転するか、前記第１フィードローラ２２１の駆動部とは別途の駆動部によって回転してもよい。また、例示的に、前記第２ゲートローラ２２８は前記第２フィードローラ２２７から回転力を伝達されて前記第２フィードローラ２２７と反対方向に回転されるか、引き入れられる第２媒体との摩擦力によって回転されてもよい。
【００５０】
前記加圧板２１３は前記第２支持板２１２の上方に配置される。前記加圧板２１３は、前記第２媒体を引き出すとき前記第２支持板２１２に保管された第２媒体を前記ピックアップローラ２２２側に加圧する。前記加圧板２１３は、前記第２支持板２１２を駆動する駆動部と別途の駆動部によって上下移動されてもよい。
【００５１】
図８を参照すると、前記第１フィードローラ２２１の第１回転軸２４１と前記ピックアップローラ２２２の第２回転軸２４２は、前記ハウジング２００に具備されるフレーム２０５（ｆｒａｍｅ）を貫通する。前記フレーム２０５には、前記第１回転軸２４１が貫通するための第１ホール２０７と、前記第２回転軸２４２が貫通するための第２ホール２０８が形成される。
【００５２】
前記フレーム２０５を貫通した前記第１回転軸２４１及び前記第２回転軸２４２は連結板２３０に連結される。よって、前記フレーム２０５を基準に一側（図８では左側）に第１フィードローラ２２１及びピックアップローラ２２２が配置され、他側に前記連結板２３０が配置される。
【００５３】
前記連結板２３０には連結ピン２３２が具備される。前記連結ピン２３２は、前記第２回転軸２４２と離隔される。前記連結ピン２３２は前記フレーム２０５のピンホール２０６を貫通し、前記フレーム２０５を貫通した前記連結ピン２３２には締結板２３４が締結される。そして、前記連結ピン２３２には弾性部材２５０が連結される。
【００５４】
前記連結板２３０は、前記第１回転軸２４１を基準に回転することができる。前記連結板２３０が前記第１回転軸２４１を基準に回転するために、前記第２ホール２０８及び前記ピンホール２０６は前記第２回転軸２４２及び前記連結ピン２３２の移動が可能になるように弧状に形成されてもよい。
【００５５】
前記弾性部材２５０の一端は前記連結ピン２３２に連結され、他端は前記連結ピン２３２より低い位置で前記フレーム２０５に連結されてもよい。そして、前記弾性部材２５０は、一例に引長バネであってもよい。
【００５６】
前記第２媒体を引き出すために、前記第１支持板２１１は上側に移動して前記ピックアップローラ２２２を情報に加圧してもよい。すると、前記連結板２３０が前記第１回転軸２４１を中心に図７から見ると反時計回りに回転する。この場合、前記弾性部材２５０は引長され、外力が除去されると前記弾性部材２５０は収縮される方向に前記連結ピン２３２に弾性力を提供する。
【００５７】
前記弾性部材２５０は前記連結ピン２３２に直接弾性力を提供するが、前記弾性力は前記連結板２３０にも伝達されるため、前記弾性部材２５０は前記連結板２３０に弾性力を提供するとも理解される。
【００５８】
他の例として、前記弾性部材２５０は圧縮バネであってもよい。この場合、前記弾性部材２５０の一端は前記連結ピン２３２に連結され、他端は前記連結ピン２３２より高い位置で前記フレーム２０５に連結されてもよい。また他の例として、前記弾性部材２５０が前記連結板２３０に直接連結されてもよい。本実施例において、前記弾性部材２５０の種類及び連結位置には制限がないことを明らかにする。
【００５９】
前記媒体保管空カセット２０は、前記連結板２３０が反時計周りに回転された状態で前記連結板２３０の位置が固定されるようにするための固定器具をさらに含んでもよい。前記固定器具は、一例にソレノイド２６０であってもよい。前記連結板２３０には、前記ソレノイド２６０に具備された固定部２６２が貫通するためのホール２３５が形成されてもよい。
【００６０】
以下では、第１媒体及び第２媒体が引き出されるか引き入れられる過程について説明する。
【００６１】
図９は、第２実施例の第１媒体及び第２媒体が引き入れられる過程を示す図である。
図９には、第１媒体及び第２媒体が同時に前記媒体保管箱に引き入れられることが図示されているが、第１媒体及び第２媒体のうちいずれか一つが引き入れられた後で他の一つが引き入れられてもよい。
【００６２】
図９を参照すると、前記第１媒体（Ｍ１）は、前記第１通路２０１を介して前記ハウジング２００の内部に引き入れられる。前記ハウジング２００の内部に引き入れられた前記第１媒体（Ｍ１）は、前記第１フィードローラ２２１と前記第１ゲートローラ２２５によって前記第２支持板２１１の上側に落下する。この際、前記第１フィードローラ２２１は図４を基準に反時計周りに回転し、前記第１ゲートローラ２２５は時計回りに回転する。そして、引き入れられる第１媒体の個数が増加すると前記第１支持板２１１が下降する。
【００６３】
第２媒体（Ｍ２）は、前記第２通路２０２を介して前記ハウジング２００の内部に引き入れられる。前記ハウジング２００の内部に引き入れられた前記第２媒体（Ｍ２）は、前記第２フィードローラ２２７と前記第２ゲートローラ２２８によって前記第２支持板２１２に落下する。この際、前記第２フィードローラ２２７は図９を基準に反時計周りに回転し、前記第２ゲートローラ２２８は時計回りに回転する。そして、引き入れられる第２媒体の個数が増加すると前記第２支持板２１２が下降する。
【００６４】
図１０は、第２実施例の第１媒体が引き出され、第２媒体が引き入れられる過程を示す図である。
【００６５】
図１０には、第１媒体が引き出される過程で第２媒体が引き入れられることが示されているが、第１媒体の引き出し及び第２媒体の引き入れのうちいずれか一つの行われ、他の一つが後で行われることも可能である。図１０における第２媒体が引き入れられる過程は、図９は説明したことと同じであるため省略する。
【００６６】
図１０を参照すると、保管された前記第１媒体（Ｍ１）を引き出すために前記第１支持板２１１が上昇する。前記第１支持板２１１は、前記第１支持板２１１に置かれた第１媒体（Ｍ１）が前記ピックアップローラ２２２に接触するまで上昇する。次に、前記ピックアップローラ２２２によって前記第１支持板２１１に置かれた第１媒体（Ｍ１）は一枚ずつピックアップされ、ピックアップされた第１媒体（Ｍ１）は前記第１通路２０１を介して前記ハウジング２００の外部に排出される。この際、図１０を基準に前記ピックアップローラ２２２及び前記第１フィードローラ２２１は時計回り（第１方向）に回転される。第１媒体が引き出されるとき、前記第２回転軸２４２は前記第１回転軸２４１より低く位置される。
【００６７】
図１１及び図１２は、第２実施例の第２媒体が引き出される過程を示す図である。
まず、図１１を参照すると、前記第２媒体（Ｍ２）を引き出すために前記第１支持板２１１が前記ピックアップローラ２２２に向かって移動される。図１１では、前記第１支持板２１１が前記ピックアップローラ２２２に向かって上昇する。前記第１支持板２１１が上昇する間、前記第１支持板２１１は前記ピックアップローラ２２２と接触するようになり、前記第１支持板２１１の持続的な上昇によって前記第１支持板２１１は前記ピックアップローラ２２２を引き上げる。この際、前記第１支持板２１１に第１媒体（Ｍ１）が置かれていない場合には前記第１支持板２１１が前記ピックアップローラ２２２と接触するようになり、前記第１支持板２１１に第１媒体が置かれる場合には前記第１媒体（Ｍ１）が前記ピックアップローラ２２２と接触するようになる。よって、本実施例において第１支持板はピックアップローラを移動させるためのピックアップローラ移動装置の役割をする。
【００６８】
上述したように、前記第１支持板２１１が前記ピックアップローラ２２２を上方に加圧すると、前記ピックアップローラ２２２と連結された連結板２３０が前記第１回転軸２４１を基準に反時計周りに回転する。
【００６９】
図１１のように前記ピップアップローラ２２２が引き上げられると、前記第２回転軸２４２は前記第１回転軸２４１より高く位置される。本実施例において、前記ピックアップローラ２２２が引き上げられるため前記ピックアップローラ２２２が前記各支持板と相対運動が可能であると説明することができる。
【００７０】
本実施例において、前記ピックアップローラ２２２が引き上げられるとき、前記ピックアップローラ２２２の停止位置は図示されていないセンサーによって感知されてもよい。前記センサーは前記ピックアップローラ２２２、第２回転軸２４２、連結板２３０のうちいずれか一つを感知することができる。
【００７１】
前記ピックアップローラ２２２の停止位置まで前記ピックアップローラ２２２が引き上げられると、前記固定器具が前記連結板２３０に連結される。即ち、前記ソレノイド２６０の固定部２６２が前記連結板２３０を貫通することで、前記連結板２３０の位置が固定される。
【００７２】
次に、前記第１支持板２１１は前記ピックアップローラ２２２から離隔されるために下降する。前記第１支持板２１１が前記ピックアップローラ２２２から離隔される理由は、前記第２媒体を前記ピックアップローラ２２２がピックアップする過程で前記第１支持板２１１と前記ピックアップローラ２２２の干渉を防止するためである。
【００７３】
次に、前記第２支持板２１２が前記ピックアップローラ２２２に向かって移動する。図１１では、前記第２支持板２１２が前記ピックアップローラ２２２に向かって下降する。
【００７４】
前記第２支持板２１２には、前記ピックアップローラ２２２が貫通するためのホール（図示せず）が前記ピックアップローラ２２２と対応する位置に形成される。よって、前記第２支持板２１２が下降すると、前記ピックアップローラ２２２が前記ホールを貫通して前記第２媒体（Ｍ２）に接触するようになる。よって、前記ピックアップローラ２２２によって前記第２媒体（Ｍ２）のピックアップが可能になる。
【００７５】
この際、前記ピックアップローラ２２２が前記第２媒体（Ｍ２）を円滑にピックアップするために、前記加圧板２１３が下降して前記第２媒体（Ｍ２）を前記ピックアップローラ２２２側に加圧する。
【００７６】
そして、最終的に前記ピックアップローラ２２２によって前記第２媒体（Ｍ２）が一枚ずつピックアップされ、ピックアップされた第２媒体（Ｍ２）は前記第３通路２０３を介して前記ハウジング２００の外部に排出される。
【００７７】
この際、前記ピックアップローラ２２２及び前記第１フィードローラ２２１は図１２を基準に反時計周り（第２方向）に回転され、前記移送ローラ２２９は時計回りに回転される。
【００７８】
一方、前記第２媒体のピックアップ作業が完了された後には、前記固定器具による前記連結板２３０の位置固定が解除される。すると、前記弾性部材２５０の弾性力によって前記ピックアップローラ２２２は元の位置に復帰する。即ち、前記弾性部材２５０は前記ピックアップローラ２２２の第２回転軸２４２を前記第１支持板２１１側に移動させる弾性力を提供する。
【００７９】
本実施例によると、単一のピックアップローラ２２２によって第１媒体又は第２媒体のピックアップが可能であるため、追加のピックアップローラ２２２が不必要になり、前記媒体保管箱内の媒体保管容量が増加し、前記媒体保管箱内部の構造が簡単になる長所がある。
【００８０】
本実施例では、前記第１フィードローラ２２１の直径より前記ピックアップローラ２２２の直径が小さく形成されるため、第１媒体（Ｍ１）のピックアップを可能にするために前記第２回転軸２４２が前記第１回転軸２４１より低く位置される。よって、前記ピックアップローラ２２２を利用して前記第２媒体（Ｍ２）をピックアップするために、前記ピックアップローラ２２２を引き上げるようになる。
【００８１】
しかし、前記ピックアップローラ２２２の直径を前記第１フィードローラ２２１の直径より大きくする場合、前記ピックアップローラ２２２を引き上げなくても前記第２媒体（Ｍ２）をピックアップすることができる。但し、この場合、前記ピックアップローラ２２２のサイズが増加することによって前記媒体保管箱内の媒体保管容量が減る可能性がある。
【００８２】
本実施例では、前記連結板２３０が前記第１回転軸２４１及び前記第２回転軸２４２に連結されると説明したが、前記第２回転軸２４２にのみ連結されてもよい。この場合にも、前記ピックアップローラ２２２及び前記第１フィードローラ２２１とベルトによって連結されているため、前記連結板２３０が前記第１回転軸２４１を基準に回転することができる。
【００８３】
他の例として、前記各支持板が水平方向に配置され、前記ピックアップローラが設置された連結板が水平方向に移動されて前記ピックアップローラが各支持板に支持された媒体を選択的にピックアップすることができる。例えば、第１支持板と対応する位置に移動されたピックアップローラが第２支持板と対応する位置に移動して第２支持板に支持された媒体をピックアップしてもよい。
【００８４】
また、本明細書における前記媒体保管箱の構成のうち、少なくとも多数の媒体保管空間、多数の支持板及びピックアップローラを含む構成を媒体処理装置と称することができる。
【００８５】
図１３は第３実施例による媒体保管箱の内部構造を概略的に示す図であり、図１４は第３実施例によるピックアップローラが連結部材に連結された様子を示す斜視図であり、図１５は本実施例によるフィードローラとピックアップローラの連結関係を示す断面図である。
【００８６】
本実施例は、他の部分は第２実施例と同じであるが、ただピックアップローラを移動させるための構成にその差がある。よって、以下では第３実施例の特徴的な部分についてのみ説明する。
【００８７】
図１３乃至図１５を参照すると、本実施例の第１フィードローラ２２１の第１回転軸２４１とピックアップローラ２２２の第２回転軸２４２は連結部材３４０を貫通してもよい。そして、前記第１フィードローラ２２１の第１回転軸２４１は前記ハウジング２００に具備されるフレーム２０５（ｆｒａｍｅ）を貫通してもよい。
【００８８】
前記連結部材３４０には引っかかり部３４２が具備される。前記引っかかり部３４２は前記ピックアップローラ２２２の第２回転軸２４２と並んで配置され、前記フレーム２０５を貫通してもよい。前記フレーム２０５には、前記引っかかり部３４２が貫通するための引っかかり部ホール２０９（ｈｏｌｅ）が形成されてもよい。
【００８９】
前記連結部材３４０は、前記第１回転軸２４１を基準に回転することができる。前記連結板２３０が前記第１回転軸２４１を基準に回転するために、前記引っかかり部ホール２０９は前記引っかかり部３４２の移動が可能になるように弧状に形成されてもよい。そして、前記引っかかり部３４２には弾性部材３５０の一端は連結され、前記フレーム２０５には前記弾性部材３５０の他端が連結されてもよい。前記弾性部材３５０は、前記引っかかり部３４２を下側に引き下げる弾性力を前記引っかかり部３４２に提供する。
【００９０】
前記連結部材３４０が前記第１回転軸２４１を基準に回転すると、前記連結部材３４０に連結された前記第２回転軸２４２が前記連結部材３４０と共に回転することが出来る。即ち、前記第２回転軸２４２の高さが可変される。
【００９１】
一方、図１３において、第２媒体が引き出されるために前記第２支持部２１２が前記ピックアップローラ２２２に向かって下方に移動されてもよい。ところが、この状態では第１回転軸２４１より第２回転軸２４２が前記ハウジング２００の底面を基準に低く位置するため、前記第２支持板２１２が下降しても前記ピックアップローラ２２２が前記第２支持部２１２に置かれた第２媒体と接触することができる。よって、前記第２媒体をピックアップするために、前記ピックアップローラ２２２と前記第２回転軸２４２はピックアップローラ移動装置によって移動されることができる。
【００９２】
詳しくは、前記ピックアップローラ移動装置は、前記第１回転軸２４１に連結されるクラッチ３００（ｃｌｕｔｃｈ）と、前記クラッチ３００と連結され、前記第１回転軸２４１の回転力を受けて前記連結部材３４０の引っかかり部３４２に伝達する動力伝達部を含んでもよい。前記クラッチ３００は、一例に電子クラッチであって、前記クラッチ３００がオンになると前記クラッチ３００は前記第１回転軸２４１の動力を前記動力伝達部に伝達することができる。
【００９３】
前記動力伝達部は、前記クラッチ３００と連結される伝達ギア３１０と、前記伝達ギア３１０と伝達ベルト３３０によって連結される回転レバー３２０（ｒｏｔａｔｉｎｇ  ｌｅｖｅｒ）を含んでもよい。前記伝達ギア３１０及び回転レバー３２０それぞれには前記伝達ベルト３３０が回されるプーリー３１２，３２２が具備されてもよい。そして、前記回転レバー３２０の周りには半径方向に多数の突出部３２３が形成されてもよい。前記多数の突出部３２３は、前記回転レバー３２０の回転中心軸を基準に一定角度を成して離隔されてもよい。図１３には、一例に前記多数の突出部３２３が前記回転レバー３２０の回転中心を基準に１２０度角度を成して配置されることが示されているが、本実施例において前記多数の突出部３２３の個数及びそれらの配置角度は前記引っかかり部３４２の上昇高さに応じて異なってもよい。
【００９４】
前記回転レバー３２０の多数の突出部のうち一突出部３２３は前記回転レバー３２０の回転過程で前記引っかかり部３４２と選択的に接触され、前記引っかかり部３４２と接触された後には前記引っかかり部３４２を引き上げることができる。
【００９５】
一方、前記回転レバー３２０によって引き上げられた引っかかり部３４２は位置固定部３７０によって位置が固定されてもよい。前記位置固定部３７０は、前記フレーム２０５に回転軸３７１によって回転可能に連結されてもよい。前記位置固定部３７０は、前記引っかかり部３４２がかかるためのフック３７２を含んでもよい。そして、前記フック３７２の下側には、前記引っかかり部３４２が容易に前記フック３７２に沿って上昇するためのガイド面３７３を含んでもよい。前記ガイド面３７３は傾斜面であってもよい。
【００９６】
前記位置固定部３７０は弾性部材に連結されてもよい。前記弾性部材は、前記位置固定部３７０のフック３７２に前記引っかかり部３４２がかかる方向に回転するように弾性力を前記位置固定部３７０に提供する。
【００９７】
前記位置固定部３７０は、延長部３７４をさらに含んでもよい。前記延長部３７４には、前記位置固定部３７０を作動するための駆動部３６０が連結されてもよい。前記駆動部３６０は、一例にソレノイドであってもよく、並進運動する作動バー３６２を含んでもよい。図示されていないが、前記作動バー３６２はピンによって前記延長部３７４に連結されてもよい。この際、前記位置固定部３７０が一方向に一定角度回転されるとき、前記ピンに回転力が伝達されなくするために、前記延長部３７４にはピンが連結される溝又はホールが弧状に形成されてもよい。これとは異なって、前記駆動部３６０はモータであってもよく、本発明において前記駆動部３６０の種類には制限がないことを明らかにする。
【００９８】
以下では、第１媒体及び第２媒体が引き出されるか引き入れられる過程について説明する。
【００９９】
図１６は、第３実施例の第１媒体及び第２媒体が引き入れられる過程を示す図である。
図１６には、第１媒体及び第２媒体が同時に前記媒体保管箱に引き入れられることが図示されているが、第１媒体及び第２媒体のうちいずれか一つが引き入れられた後で他の一つが引き入れられてもよい。
【０１００】
図１６を参照すると、前記第１媒体（Ｍ１）は、前記第１通路２０１を介して前記ハウジング２００の内部に引き入れられる。前記ハウジング２００の内部に引き入れられた前記第１媒体（Ｍ１）は、前記第１フィードローラ２２１と前記第１ゲートローラ２２５によって前記第２支持板２１１の上側に落下する。この際、前記第１フィードローラ２２１は図１６を基準に反時計周りに回転し、前記第１ゲートローラ２２５は時計回りに回転する。そして、引き入れられる第１媒体の個数が増加すると前記第１支持板２１１が下降する。
【０１０１】
第２媒体（Ｍ２）は、前記第２通路２０２を介して前記ハウジング２００の内部に引き入れられる。前記ハウジング２００の内部に引き入れられた前記第２媒体（Ｍ２）は、前記第２フィードローラ２２７と前記第２ゲートローラ２２８によって前記第２支持板２１２に落下する。この際、前記第２フィードローラ２２７は図１６を基準に時計周りに回転し、前記第２ゲートローラ２２８は反時計回りに回転する。そして、引き入れられる第２媒体の個数が増加すると前記第２支持板２１２が下降する。
【０１０２】
図１６のように、第１媒体が前記媒体保管箱に引き入れられる途中には、前記クラッチ３００がオープンされて前記第１回転軸２４１の回転力が前記伝達ギア３１０に伝達されない。前記第１フィードローラ２２１が反時計周りに回転するとき前記クラッチ３００はオフになっているため、前記動力伝達部は停止した状態を維持する。図１７は、本実施例の第１媒体が引き出され、第２媒体が引き入れられる過程を示す図である。
【０１０３】
図１７には、第１媒体が引き出される過程で第２媒体が引き入れられることが示されているが、第１媒体の引き出し及び第２媒体の引き入れのうちいずれか一つが行われ、他の一つが後で行われることも可能である。図１７における第２媒体が引き入れられる過程は、図１６で説明したことと同じであるため省略する。
【０１０４】
図１７を参照すると、保管された前記第１媒体（Ｍ１）を引き出すために前記第１支持板２１１が上昇する。前記第１支持板２１１は、前記第１支持板２１１に置かれた第１媒体（Ｍ１）が前記ピックアップローラ２２２に接触するまで上昇する。次に、前記ピックアップローラ２２２によって前記第１支持板２１１に置かれた第１媒体（Ｍ１）は一枚ずつピックアップされ、ピックアップされた第１媒体（Ｍ１）は前記第１通路２０１を介して前記ハウジング２００の外部に排出される。この際、図１７を基準に前記ピックアップローラ２２２及び前記第１フィードローラ２２１は時計回り（第１方向）に回転される。第１媒体が引き出されるとき、前記第２回転軸２４２は前記第１回転軸２４１より低く位置される。
【０１０５】
前記第１媒体（Ｍ１）が引き出されるときには、前記クラッチ３００はオフになった状態を維持する。よって、前記第１回転軸２４１の回転力が前記伝達ギア３１０に伝達されない。
【０１０６】
図１８乃至図２０は第３実施例の第２媒体が引き出される過程を示す図であり、図２１は第２媒体の引出が完了した後、駆動部によって位置固定部が作動してピックアップローラの第２回転軸が下降する様子を示す図である。
まず、図１８を参照すると、前記第２媒体（Ｍ２）を引き出すために前記第１フィードローラ２２１の第１回転軸２４１が時計回りに回転され、前記クラッチ３００はオンになる。
【０１０７】
前記クラッチ３００がオンになると、前記第１回転軸２４１の回転力によって前記伝達ギア３１０が反時計周りに回転される。前記伝達ギア３１０が反時計周りに回転されると前記伝達ベルト３３０が反時計周りに回転し、それによって前記回転レバー３２０が反時計周りに回転される。前記回転レバー３２０が反時計方向に回転される途中、多数の突出部のうちいずれかひとつの突出部が前記連結部材３４０の引っかかり部３４２と接触すると、前記突出部３２３が前記引っかかり部３４２を引き上げる。前記引っかかり部３４２を引き上げると前記連結部材３４０が前記第１回転軸２４１を基準に反時計周りに回転し、前記連結部材３４０の回転によって前記ピックアップローラ２２２の第２回転軸２４２も共に上昇する。
【０１０８】
図１９を参照すると、前記引っかかり部３４２が上昇する途中前記引っかかり部３４２が前記位置固定部３７０のフック３７２と接触すると前記フック３７２が時計周りに回転され、前記引っかかり部３４２が一定高さまで上昇すると前記位置固定部３７０は弾性部材によって反時計周りに回転され、前記引っかかり部３４２が前記フック３７２にかかるようになる。
【０１０９】
前記引っかかり部３４２が前記フック３７２にかかった後前記第１フィードローラ２２１の回転が停止され、前記クラッチ３００はオフになる。
【０１１０】
上述したように前記ピックアップローラ２２２が上昇した状態で、前記第２支持板２１２が前記ピックアップローラ２２２に向かって移動する。図１９では、前記第２支持板２１２が前記ピックアップローラ２２２に向かって下降する。
【０１１１】
前記第２支持板２１２には、前記ピックアップローラ２２２が貫通するためのホール（図示せず）が前記ピックアップローラ２２２と対応する位置に形成される。よって、前記第２支持板２１２が下降すると、前記ピックアップローラ２２２が前記ホールを貫通して前記第２媒体（Ｍ２）に接触するようになる。よって、前記ピックアップローラ２２２によって前記第２媒体（Ｍ２）のピックアップが可能になる。
【０１１２】
この際、前記ピックアップローラ２２２が前記第２媒体（Ｍ２）を円滑にピックアップするために、前記加圧板２１３が下降して前記第２媒体（Ｍ２）を前記ピックアップローラ２２２側に加圧する。
【０１１３】
そして、最終的に前記ピックアップローラ２２２によって前記第２媒体（Ｍ２）が一枚ずつピックアップされ、ピックアップされた第２媒体（Ｍ２）は前記第３通路２０３を介して前記ハウジング２００の外部に排出される。
【０１１４】
この際、前記ピックアップローラ２２２及び前記第１フィードローラ２２１は図２０を基準に反時計周り（第２方向）に回転され、前記移送ローラ２２９は時計回りに回転される。
【０１１５】
一方、前記第２媒体のピックアップ作業が完了された後には、図２１のように前記駆動部３６０によって位置固定部が作動する。即ち、前記作動バー３６２が上側に移動することで、前記位置固定部３７０が時計回りに回転される。すると、前記前記位置固定部３７０のフック３７２に前記引っかかり部３４２がかかっている状態が解除され、前記引っかかり部３４２は弾性部材３５０の復元力によって下方に移動する。すると、前記連結部材が第１回転軸を基準に時計回りに回転され、前記ピックアップローラ２２２は図２１のように元の位置に復帰する。この際、前記クラッチ３００はオフになった状態であるため、前記第１回転軸２４１は停止した状態を維持する。
【０１１６】
この際、本実施例において、前記第２媒体のピックアップ完了は図示されていないセンサーによって感知されてもよい。前記センサーによって指定枚数だけの第２媒体のピックアップが完了されたことが感知されると、前記駆動部３６０によって前記位置固定部が作動して前記ピックアップローラユニットが下方に移動する。
【０１１７】
前記ピックアップローラ２２２によるピックアップが完了された後で前記ピックアップローラ２２２を停止させても、前記ピックアップローラ２２２の慣性回転によって引き出されてはならない第２媒体がピックアップされて前記第１フィードローラ２２１と前記移送ローラ２２９との間に挟まされる問題が発生する恐れがある。しかし、本発明によると、前記ピックアップローラ２２２によるピックアップが完了された後で前記位置固定部３７０が作動して前記ピックアップローラユニットが下方に移動するため、たとえ前記ピックアップローラ２２２が慣性回転しても第２媒体の追加的なピックアップを防止することができる。また、図１７でも同じく、前記ピックアップローラ２２２による第１媒体のピックアップ完了は図示されていないセンサーによって感知されてもよい。前記センサーによって指定枚数だけの第1媒体のピックアップが完了されたことが感知されると、前記第１フィードローラ２２１の第１回転軸２４１が時計回りに回転し、前記ピックアップローラユニットが上方に移動する。よって、前記ピックアップローラ２２２が完成回転しても第１媒体の追加的なピックアップを防止することができる。
【０１１８】
本実施例によると、単一のピックアップローラ２２２によって第１媒体又は第２媒体のピックアップが可能であるため、追加のピックアップローラが不必要になり、前記媒体保管箱内の媒体保管容量が増加し、前記媒体保管箱内部の構造が簡単になる長所がある。
【０１１９】
本明細書における前記媒体保管箱の構成のうち、少なくとも多数の媒体保管空間、多数の支持板及びピックアップローラを含む構成を媒体処理装置と称することができる。
また、本明細書において、ピックアップローラと連結部材及び引っかかり部を通称してピックアップローラユニットと称する。また、第１媒体を引き入れるか引き出すときのピックアップローらユニットの位置を第１位置とし、第２媒体を引き出すときのピックアップローラユニットの位置を第２位置と称する。そして、ピックアップローラ移動装置は、ピックアップされる媒体の種類に応じてピックアップローラユニットの位置を変更してもよい。
【０１２０】
また、本実施例において、ピックアップローラ移動装置は前記第２媒体のピックアップのためにピックアップローラユニットを移動させ、固定部とピックアップローラユニットの固定を解除するとき前記ピックアップローラユニットが自重によって下方に移動することを説明したが、これとは異なって前記固定部が具備されず、ピックアップローラ移動装置によって前記ピックアップローラユニットが一方向に移動（回転）した後、他の方向に移動（回転）することも可能であることを明らかにする。
【図１】
0005502182.tif 000002
【図２】
0005502182.tif 000003
【図３】
0005502182.tif 000004
【図４】
0005502182.tif 000005
【図５】
0005502182.tif 000006
【図６】
0005502182.tif 000007
【図７】
0005502182.tif 000008
【図８】
0005502182.tif 000009
【図９】
0005502182.tif 000010
【図１０】
0005502182.tif 000011
【図１１】
0005502182.tif 000012
【図１２】
0005502182.tif 000013
【図１３】
0005502182.tif 000014
【図１４】
0005502182.tif 000015
【図１５】
0005502182.tif 000016
【図１６】
0005502182.tif 000017
【図１７】
0005502182.tif 000018
【図１８】
0005502182.tif 000019
【図１９】
0005502182.tif 000020
【図２０】
0005502182.tif 000021
【図２１】
0005502182.tif 000022